(57)【特許請求の範囲】
【請求項１】
遊技球が流下可能な遊技領域を前面に備えた遊技盤が設置されているとともに、前記遊技盤の下部で、前記遊技領域の外側となる位置に、周縁が後方へ折り曲げられてなるカバー状の防犯部材を前記遊技盤の前方側から取り付けるための取付部を設けたパチンコ機であって、
前記防犯部材に、係止部を設ける一方、
前記遊技盤に、前記取付部として前記係止部が係止可能な被係止部を設けており、
前記防犯部材が、前記係止部の前記被係止部への係止によって前記遊技盤に取り付けられているとともに、
前記係止部の前端が、前記防犯部材の表面よりも前方へ突出しており、
前記係止部と前記被係止部との係止状態が、前記係止部の前端の操作により解除されることを特徴とするパチンコ機。
【請求項２】
前記防犯部材の左右上部に、前記係止部として矢尻状の係止爪を有する第１係止片を後方へ突設するとともに、前記防犯部材の下部に、前記係止部として上方へ突出する係止突起を有する一対の第２係止片を前後方向に設け、更に前記第２係止片の前端を前記防犯部材の表面よりも前方へ突出させる一方、
前記遊技盤に、該遊技盤の左右両側縁に沿って前方へ立設された側壁と、前記遊技盤の下縁に沿って前方へ立設された底壁とを設けるとともに、前記側壁の側面に、前記第１係止片が係止可能な前記被係止部としての係止孔を、前記底壁の上面又は下面に、前記第２係止片が係止可能な前記被係止部としての係止凹部を夫々設けており、
前記防犯部材を前記遊技盤へ取り付けた際、前記側壁と前記防犯部材の左右側縁に設けられた折り曲げ部とが左右方向で重なり、前記底壁と前記防犯部材の下縁に設けられた折り曲げ部とが上下方向で重なるとともに、
前記第２係止片と前記係止凹部との係止状態が、前記第２係止片の前端の操作により解除されることを特徴とする請求項１に記載のパチンコ機。
【請求項３】
前記側壁の前記係止孔が設けられている側の側面に、該側壁の側面から前記係止爪の高さ以上だけ凹む逃げ部を設け、当該逃げ部の一端を前記係止孔に連通させるとともに、前記逃げ部の他端を前記側壁の端縁に開放させており、
前記第２係止片と前記係止凹部との係止状態を解除した後、前記第１係止片と前記係止孔とが係止状態にある前記防犯部材を前記逃げ部の形状にしたがってスライドさせることにより、前記第１係止片が前記逃げ部を介して前記係止孔から抜き取られ、前記第１係止片と前記係止孔との係止状態が解除されることを特徴とする請求項２に記載のパチンコ機。
【発明の詳細な説明】
【技術分野】
【０００１】
本発明は、遊技盤の前面に遊技球が流下可能な遊技領域が形成されてなるパチンコ機に関するものである。
【背景技術】
【０００２】
従来、パチンコ機には、不正行為の防止を目的とした種々の構成が備えられている。そして、たとえば機枠と前扉との隙間からピアノ線等の不正具を遊技領域内へ進入させ、大入賞装置の扉部材を不正に開放する等といった不正行為を防止するための構成としては、特許文献１に開示されているようなものが考案されている。つまり、ガラス板が嵌め込み設置される前枠の後面に防犯部材を取り付けており、前枠を閉塞させた際に、該防犯部材が遊技盤の前面に組み付けられることによって前扉と遊技盤との間の隙間が埋められ、不正具の遊技領域内への進入が防止されるように構成している。
また、前扉と遊技盤との間の隙間を埋める防犯部材を、前扉の後面ではなく、遊技盤の前面にネジ止めするといった構成も考案されている。
【先行技術文献】
【特許文献】
【０００３】
【特許文献１】特開２０１０−２２７１０号公報
【発明の概要】
【発明が解決しようとする課題】
【０００４】
しかしながら、特許文献１に開示されているように、防犯部材を前扉の後面に取り付ける構成を採用するにあたっては、強度や外観といった点から防犯部材をガラス板に取り付けることはできないため、前扉の下部に合成樹脂製や木製或いは金属製の防犯部材取付部を形成する必要がある。したがって、前扉におけるガラス板を小型化しなければならず、意匠性等における設計自由度が乏しくなるという問題がある。
また、防犯部材は、遊技盤側へ組み付けられるに際し、遊技球の発射通路を覆うように組み付けられることが一般的である。したがって、防犯部材を遊技盤側へネジ止めする構成を採用すると、防犯部材の遊技盤への着脱に手間がかかり、発射通路の清掃作業が煩わしくなるといった問題がある。
【０００５】
そこで、本発明は、上記問題に鑑みなされたものであって、防犯部材を遊技盤側へ着脱可能とし、前扉等の設計自由度の向上を図った上で、上記清掃作業等を容易に行うこともできるパチンコ機を提供しようとするものである。
【課題を解決するための手段】
【０００６】
上記目的を達成するために、本発明のうち請求項１に記載の発明は、遊技球が流下可能な遊技領域を前面に備えた遊技盤が設置されているとともに、前記遊技盤の下部で、前記遊技領域の外側となる位置に、周縁が後方へ折り曲げられてなるカバー状の防犯部材を前記遊技盤の前方側から取り付けるための取付部を設けたパチンコ機であって、前記防犯部材に、係止部を設ける一方、前記遊技盤に、前記取付部として前記係止部が係止可能な被係止部を設けており、前記防犯部材が、前記係止部の前記被係止部への係止によって前記遊技盤に取り付けられているとともに、前記係止部の前端が、前記防犯部材の表面よりも前方へ突出しており、前記係止部と前記被係止部との係止状態が、前記係止部の前端の操作により解除されることを特徴とする。
請求項２に記載の発明は、請求項１に記載の発明において、前記防犯部材の左右上部に、前記係止部として矢尻状の係止爪を有する第１係止片を後方へ突設するとともに、前記防犯部材の下部に、前記係止部として上方へ突出する係止突起を有する一対の第２係止片を前後方向に設け、更に前記第２係止片の前端を前記防犯部材の表面よりも前方へ突出させる一方、前記遊技盤に、該遊技盤の左右両側縁に沿って前方へ立設された側壁と、前記遊技盤の下縁に沿って前方へ立設された底壁とを設けるとともに、前記側壁の側面に、前記第１係止片が係止可能な前記被係止部としての係止孔を、前記底壁の上面又は下面に、前記第２係止片が係止可能な前記被係止部としての係止凹部を夫々設けており、前記防犯部材を前記遊技盤へ取り付けた際、前記側壁と前記防犯部材の左右側縁に設けられた折り曲げ部とが左右方向で重なり、前記底壁と前記防犯部材の下縁に設けられた折り曲げ部とが上下方向で重なるとともに、前記第２係止片と前記係止凹部との係止状態が、前記第２係止片の前端の操作により解除されることを特徴とする。
請求項３に記載の発明は、請求項２に記載の発明において、前記側壁の前記係止孔が設けられている側の側面に、該側壁の側面から前記係止爪の高さ以上だけ凹む逃げ部を設け、当該逃げ部の一端を前記係止孔に連通させるとともに、前記逃げ部の他端を前記側壁の端縁に開放させており、前記第２係止片と前記係止凹部との係止状態を解除した後、前記第１係止片と前記係止孔とが係止状態にある前記防犯部材を前記逃げ部の形状にしたがってスライドさせることにより、前記第１係止片が前記逃げ部を介して前記係止孔から抜き取られ、前記第１係止片と前記係止孔との係止状態が解除されることを特徴とする。
【発明の効果】
【０００７】
本発明によれば、防犯部材に、係止部を設ける一方、遊技盤に、係止部が係止可能な被係止部を設けており、防犯部材を、係止部の被係止部への係止によって遊技盤に取り付けている。また、係止部の前端が、防犯部材の表面よりも前方へ突出しており、係止部と被係止部との係止状態を、係止部の前端の操作により解除可能としている。したがって、防犯部材の遊技盤への着脱作業が非常に容易にであり、防犯部材に被覆される箇所の清掃等を容易に行うことができるし、防犯部材を遊技盤に取り付けるため、前扉等に防犯部材の取付機構を設ける必要がなく、ガラス板を大型化する等、設計自由度を向上することができる。
また、請求項２に記載の発明によれば、防犯部材を遊技盤へ取り付けた際、遊技盤の側壁と防犯部材の左右側縁に設けられた折り曲げ部とが左右方向で重なり、遊技盤の底壁と防犯部材の下縁に設けられた折り曲げ部とが上下方向で重なるため、当該箇所に一層隙間が生じにくく、ピアノ線等の不正具を用いた不正行為の防止効果を一層高めることができる上、はんだごてのような不正具を用いた穴空け等の不正行為に対しても高い防止効果を発揮することができる。
さらに、請求項３に記載の発明によれば、側壁の係止孔が設けられている側の側面に、該側壁の側面から係止爪の高さ以上だけ凹む逃げ部を設け、当該逃げ部の一端を係止孔に連通させるとともに、逃げ部の他端を側壁の端縁に開放させており、第２係止片と係止凹部との係止状態を解除した後、第１係止片と係止孔とが係止状態にある防犯部材を逃げ部の形状にしたがってスライドさせることにより、第１係止片が逃げ部を介して係止孔から抜き取られ、第１係止片と係止孔との係止状態が解除されるように構成している。したがって、防犯部材の着脱作業の一層の簡易化を図ることができる。
【図面の簡単な説明】
【０００８】
【図１】パチンコ機を前面側から示した説明図である。
【図２】パチンコ機を後面側から示した説明図である。
【図３】カバー部材の内部を示した説明図である。
【図４】防犯部材が取り付けられた遊技盤を前面側から示した説明図である。
【図５】（ａ）は、図４中のＡ−Ａ線の一部断面を示した説明図であり、（ｂ）は、図４中のＢ−Ｂ線の一部断面を示した説明図である。
【図６】防犯部材と遊技盤との分解状態を示した説明図である。
【図７】防犯部材を前面側から示した斜視説明図である。
【図８】防犯部材を後面側から示した斜視説明図である。
【図９】防犯部材を取り付けた状態における遊技盤の盤面と平行方向での断面説明図であって、第１係止片による係止箇所周辺を示している。
【図１０】防犯部材を取り付けた状態における遊技盤の盤面と平行方向での断面説明図であって、第２係止片による係止箇所周辺を示している。
【図１１】防犯部材を取り外す途中の状態を示した斜視説明図である。
【発明を実施するための形態】
【０００９】
以下、本発明の一実施形態となるパチンコ機について、図面にもとづき詳細に説明する。
【００１０】
（パチンコ機の説明）
図１は、パチンコ機１を前面側から示した説明図である。また、図２は、パチンコ機１を後面側から示した説明図であり、図３は、カバー部材４４の内部を示した説明図である。
パチンコ機１は、遊技盤２の前面に形成された遊技領域２ａ内へ遊技球を打ち込み、遊技領域２ａ内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域２ａとされている。
【００１１】
当該遊技領域２ａは、遊技盤２の前面に円弧状に配設された外レール２３（図４に示す）及び内レール２４（図４に示す）等によって囲まれており、両レール２３、２４間が遊技球を遊技領域２ａ内へ打ち込むための発射通路１３（図４に示す）とされている。また、遊技領域２ａの略中央には、「０」〜「９」の数字や絵柄等からなる「図柄」を表示するための図柄表示部６が設けられている。さらに、遊技領域２ａには、遊技球が通過可能なゲート部材４１、一対の爪片を開閉動作可能に備えたチューリップ式電動役物１７、開閉可能な扉部材を有する大入賞装置１８、多数の遊技釘４２、４２・・や風車４３等が設置されている。
【００１２】
また、機枠３の前面側であって上記遊技盤２の下方には、遊技球を発射装置１０へ供給するための供給皿７、及び供給皿７から溢れた遊技球を貯留するための貯留皿８が取り付けられており、どちらもミドル枠５の開放等に伴い機枠３に対して片開き可能となっている。さらに、貯留皿８の右側には、発射装置１０を作動させるためのハンドル９が回動操作可能に設置されている。加えて、供給皿７の前方には、遊技者が押し込み操作可能な押しボタン１６が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１３】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置４８、及び各制御基板や装置・部材に電源電圧を供給するための電源装置４９等が設置されている。また、４４は、合成樹脂製のカバー部材であって、当該カバー部材４４の内部には、図柄表示部６に「図柄」を表示させるための液晶表示装置（図示せず）、遊技に係る主たる制御（たとえば、所謂「大当たり抽選」等）を実行するためのメイン制御装置２０、図柄表示部６における表示動作等を制御する表示制御装置４７、及び払出装置１２や表示制御装置４７、スピーカ１４やランプ部材１５等の動作を統合的に制御するサブ制御装置２２等が設置されている。尚、４５は、パチンコ機１をトランスに接続するためのプラグであり、４６は、アースである。
【００１４】
以上のようなパチンコ機１では、遊技者によってハンドル９が回動操作されると、発射装置１０が作動して遊技球が遊技領域２ａ内へ打ち込まれる。そして、遊技領域２ａ内を流下する遊技球がチューリップ式電動役物１７へ入賞すると、メイン制御装置２０にて「大当たり抽選」を行い、所謂「大当たり」である場合には、図柄表示部６に「図柄」を所定態様（たとえば、「７、７、７」等）で表示させた後、大入賞装置１８の扉部材を所定回数にわたって断続的に開成させるといった所謂「大当たり状態」を生起させる。
【００１５】
（防犯部材及び防犯部材の遊技盤への取付構造についての説明）
ここで、本発明の要部となる防犯部材２５及び防犯部材２５の遊技盤２への取付構造について説明する。
図４は、防犯部材２５が取り付けられた遊技盤２を前面側から示した説明図である。また、図５（ａ）は、図４中のＡ−Ａ線の一部断面を示した説明図であり、図５（ｂ）は、図４中のＢ−Ｂ線の一部断面を示した説明図である。さらに、図６は、防犯部材２５と遊技盤２との分解状態を示した説明図である。また、図７は、防犯部材２５を前面側から示した斜視説明図であり、図８は、防犯部材２５を後面側から示した斜視説明図である。加えて、図９は、防犯部材２５を取り付けた状態における遊技盤２の盤面と平行方向での断面説明図であって、第１係止片２６による係止箇所周辺を示している。また、図１０も、図９同様に防犯部材２５を取り付けた状態における遊技盤２の盤面と平行方向での断面説明図であって、第２係止片２７による係止箇所周辺を示している。さらに、図１１は、防犯部材２５を取り外す途中の状態を示した斜視説明図である。
【００１６】
防犯部材２５は、合成樹脂製の２つの部材（左部材及び右部材）を連結して一体化し、１つのカバー状に形成したものであって、上辺は下方へ凹む円弧状とされているとともに、上下左右の四辺（周縁）は全て後方へ折り曲げられている。該防犯部材２５の左右両辺の上部には、先端に矢尻状の係止爪を備えた弾性を有する第１係止片２６、２６が後方へ突設されており、後述する遊技盤２の係止孔３１に係止可能となっている。また、防犯部材２５の下辺の左右両側には、弾性を有する第２係止片２７が前後方向に設けられている。各第２係止片２７は、防犯部材２５の下辺において、折り曲げ縁（後方へ折り曲げる境界線）から後方へ一対の切り込み２８、２８を所定の間隔で設けることにより舌片を形成するとともに、該舌片を防犯部材２５の表面よりも前方へ突出させてなる。したがって、第２係止片２７、２７は、作業者により防犯部材２５の前方側から押し下げ操作することができる。また、各第２係止片２７の上面の前端際には、作業者が操作時に指等を引っ掛けるための掛止凸部２７ａが設けられている。さらに、各第２係止片２７の上面の略中央部には、後述する遊技盤２の係止凹部３６に係止可能な係止突起２７ｂ（図５に示す）が突設されている。またさらに、第２係止片２７の上部には、防犯部材２５を遊技盤２に取り付ける際の位置決めのための位置決め孔３３が開設されている。加えて、防犯部材２５の下辺の略中央部には、防犯部材２５の左部材と右部材とを連結する連結部２９が設けられており、該連結部２９には、強度向上のための複数のリブが備えられている。
【００１７】
尚、防犯部材２５の上辺は、内レール２４の円弧と略同一形状とされており、防犯部材２５を遊技盤２へ取付けた際には、該上辺が内レール２４の外面に近接するようになっている。また、防犯部材２５の左右両側辺及び下辺は、遊技盤２に設けられる側壁３０や底壁３５（共に後述する）と略同じ形状となっており、防犯部材２５を遊技盤２に取り付けた際、各辺の折り曲げ部が側壁３０や底壁３５の外面を被覆した状態で近接するようになっている。
【００１８】
一方、遊技盤２は、合成樹脂製の板状部材であって、その前面には、外レール２３と内レール２４とが遊技盤２前面の略全域を囲むように円弧状に配設されており、両レール、２３、２４の内側に大きな円形の遊技領域２ａが確保されている。また、遊技盤２の右部においては、外レール２３と内レール２４とが並設された状態となっており、両レール２３、２４の間が遊技球を遊技領域２ａ内へ打ち込むための発射通路１３となっている。そして、該発射通路１３の略上半分は前扉４のガラス板によって、残りの下半分は遊技盤２に取り付けられた防犯部材２５によって夫々前方を被覆されることになる。
【００１９】
また、遊技盤２の左右両側縁の中央より稍下方となる位置であって、遊技領域２ａの外側（すなわち、右部では内レール２４の右側、左部では外レール２３の左側）には、防犯部材２５の第１係止片２６が係止可能な第１係止機構が設けられている。該第１係止機構は、遊技盤２から前方へ立設された側壁３０と、側壁３０の外側面に形成された係止孔３１と、側壁３０の外側面において係止孔３１の上方に隣設された逃げ段部３２とからなる。側壁３０は、遊技盤２の側縁に沿って前方へ立設された壁状体であって、その立ち上げ高さは外レール２３や内レール２４の突出高さと略同じとなっている。また、係止孔３１は、側壁３０上部の外側面に形成されており、外側（側壁３０に対して左右外側）から第１係止片２６の係止爪が進入して係止可能となっている。さらに、逃げ段部３２は、図９に示す如く、側壁３０の上端部を、当該箇所以外の部分よりも所定距離だけ遊技盤２の内方に立設して凹ませることにより形成されてなる。そして、該逃げ段部３２の段差（すなわち、上記所定距離）は、第１係止片２６の係止爪高さＨ以上とされている。また、逃げ段部３２は、その一端が係止孔３１に連通しているとともに、他端が側壁３０の上端まで続いており（すなわち、逃げ段部３２の上部が側壁３０の上端縁に開放されており）、第１係止片２６と係止孔３１とが係止状態にある防犯部材２５を上方へスライドさせると、逃げ段部３２を介して第１係止片２６が係止孔３１から側壁３０の上方まで抜け出し、第１係止片２６と係止孔３１との係止状態が解除となる。
【００２０】
さらに、遊技盤２の下部の左右両側であって、遊技領域２ａの外側（すなわち、右部では内レール２４の下側、左部では外レール２３の下側）には、防犯部材２５の第２係止片２７が係止可能な第２係止機構が設けられている。該第２係止機構は、遊技盤２から前方へ立設された底壁３５と、底壁３５に形成された係止凹部３６とからなる。底壁３５は、図１０に示すように、遊技盤２の下縁に沿って前方へ立設された壁状体であって、側壁３０同様、その立ち上げ高さは外レール２３や内レール２４の突出高さと略同じとなっている。また、係止凹部３６は、底壁３５の下面に設けられた凹部（すなわち、底壁３５を上方へ底上げして形成された凹部）で、防犯部材２５を取り付ける際に第２係止片２７と対応する位置に設けられており、第２係止片２７の係止突起２７ｂが下方から進入して係止可能となっている。尚、３７は、取り付けられる防犯部材２５を位置決めするための位置決め突起であって、係止凹部３６と対応する位置に設けられており、遊技盤２が取り付けられた際、位置決め孔３３内へ進入可能となっている。
【００２１】
ここで、上述したような防犯部材２５を遊技盤２に取り付ける方法及び遊技盤２から取り外す方法について説明する。
まず、防犯部材２５を遊技盤２に取り付けるにあたっては、図６に示す如く、防犯部材２５を遊技盤２の取付位置の前方に位置させる。すなわち、各第１係止片２６を対応する係止孔３１の前方に位置させるとともに、各第２係止片２７を対応する係止凹部３６の前方に位置させる。そして、当該状態から防犯部材２５を遊技盤２側へ押し込めば、第１係止片２６、２６及び第２係止片２７、２７が弾性変形により若干外側へ撓んだ後、各第１係止片２６が係止孔３１に係止するとともに、第２係止片２７の係止突起２７ｂが係止凹部３６に係止し、防犯部材２５は遊技盤２に取り付けられる。尚、当該取付状態にあっては、防犯部材２５の左右両側辺及び下辺の折り曲げ部が遊技盤２に設けられた側壁３０及び底壁３５の外側を被覆し（すなわち、防犯部材２５の左右両側辺の折り曲げ部と側壁３０とが左右方向で重なり、防犯部材２５の下辺の折り曲げ部と底壁３５とが上下方向で重なる）、防犯部材２５の上辺が内レール２４の外面に近接する。したがって、該防犯部材２５により前扉４と遊技盤２との間の隙間が埋められるため、機枠３と前扉４との隙間等からピアノ線等の不正具を遊技領域２ａ内へ進入させるといった不正行為は非常に困難となる。
【００２２】
次に、防犯部材２５を遊技盤２から取り外す際には、まず係止状態にある第２係止片２７、２７の前端を指により押し下げ操作した後、防犯部材２５の下部を若干前方へ引き出して、第２係止片２７、２７と係止凹部３６、３６との係止状態を解除する。このとき、第１係止片２６、２６と係止孔３１、３１との係止状態は依然として維持されており、防犯部材２５は、図１１に示すように、上部から下部にかけて徐々に前方へせり出す傾斜姿勢となる。その後、当該傾斜姿勢にある防犯部材２５を上方へスライドさせ、逃げ段部３２、３２を介して第１係止片２６、２６を上方へ抜き取れば、第１係止片２６、２６と係止孔３１、３１との係止状態が解除となり、防犯部材２５は遊技盤２から取り外される。
【００２３】
（本実施形態による効果）
以上のような防犯部材２５及び遊技盤２を有するパチンコ機１によれば、防犯部材２５に、弾性を有する第１係止片２６、２６及び第２係止片２７、２７を設ける一方、遊技盤２の前面で遊技領域２ａの外側に、側壁３０及び底壁３５を前方へ立設するとともに、防犯部材２５を遊技盤２側へ押し込むだけで第１係止片２６が係止する係止孔３１を側壁３０に、第２係止片２７が係止する係止凹部３６を底壁３５に夫々設けている。また、第２係止片２７、２７の前端を防犯部材２５の表面よりも前方へ突出させており、防犯部材２５を遊技盤２へ取り付けた状態において第２係止片２７、２７を押し下げ操作することにより、第２係止片２７、２７と係止凹部３６、３６との係止状態を解除可能としている。したがって、防犯部材２５の遊技盤２への着脱作業が非常に容易であり、防犯部材２５に被覆された発射通路１３の清掃等を容易に行うことができるし、防犯部材２５を前扉４側に取り付けないため、前扉４に防犯部材２５の取付機構を設ける必要がなく、ガラス板を大型化する等、設計自由度を向上することができる。
【００２４】
また、防犯部材２５を取り付けた際、防犯部材２５の左右両辺の折り曲げ部と遊技盤２の側壁３０とが左右方向で重なるとともに、防犯部材２５の下辺の折り曲げ部と遊技盤２の底壁３５とが上下方向で重なるため、当該箇所に一層隙間が生じにくい上、はんだごてのような不正具を用いた穴空け等の不正行為に対しても強くなる。
さらに、段差が第１係止片２６の係止爪の高さＨよりも大きく、且つ、一端が係止孔３１に連通しており、他端が側壁３０の上端縁に開放する逃げ段部３２を設けており、第２係止片２７、２７と係止凹部３６、３６との係止状態を解除した後、防犯部材２５を上方へスライドさせて、係止孔３１に係止状態にある第１係止片２６を、逃げ段部３２を介して係止孔３１から側壁３０の上方へと抜き取ることにより、第１係止片２６と係止孔３１との係止状態を解除可能としている。したがって、防犯部材２５の着脱作業の一層の簡易化を図ることができる。
【００２５】
（本発明の変更例）
なお、本発明のパチンコ機に係る構成は、上記実施形態に何ら限定されるものではなく、防犯部材や遊技盤の構成について、本発明の趣旨を逸脱しない範囲で必要に応じて適宜変更可能である。
【００２６】
たとえば、上記実施形態では、防犯部材２５に係止爪を有する第１係止片２６及び係止突起２７ｂを有する第２係止片２７を、遊技盤２に係止孔３１及び係止凹部３６を夫々設けているが、係止爪や係止突起を遊技盤側へ設け、防犯部材側に係止孔や係止凹部を有する係止片等を設けても何ら問題はない。
また、上記実施形態では、遊技盤２に側壁３０や底壁３５等の壁部を設け、当該壁部に係止孔３１や係止凹部３６を設ける構成としているが、壁部を設けず、遊技盤２の側面や底面に係止孔３１や係止凹部３６等の被係止部を設けることも可能であり、被係止部の設置位置や数等については適宜変更可能である。
【００２７】
さらに、上記実施形態では、側壁３０の上端に逃げ段部３２を設けているが、逃げ段部３２については必ずしも設ける必要はなく、第１係止片２６も第２係止片２７同様に、その前端を防犯部材の表面よりも前方へ突出させ、作業者が左右外側へ押圧操作することで第１係止片２６と係止孔３１との係止状態を解除する構成（すなわち、逃げ段部３２に相当する構成要素を備えていない構成）を採用することも可能である。当該構成であっても、防犯部材の遊技盤２への着脱作業の簡易化を図ることができる。
さらにまた、逃げ段部を設けるに際しても、上記実施形態のものに何ら限定されるものではなく、たとえば前方へ折れ曲がって側壁３０の前端縁に開放されるＬ字状の逃げ溝を係止孔３１から連設し、防犯部材２５を一旦上方へスライドさせた後、前方へ引っ張り出すことによって、逃げ溝を介して第１係止片２６を係止孔３１から抜き取るような構成を採用することも可能であり、逃げ部の形状等については適宜変更することができる。
【００２８】
また、上記実施形態では、防犯部材２５を遊技盤２に取り付けた際、防犯部材２５の上辺が内レール２４の外側に位置する構成となっているが、防犯部材２５の上辺（全部若しくは一部）が内レール２４よりも内側（すなわち、遊技領域２ａ内）に位置するように防犯部材２５を構成することも可能である。
加えて、上記実施形態では、防犯部材２５が側壁３０や底壁３５を被覆する構成としているが、逆に、側壁３０や底壁３５の内側に防犯部材２５が近接して取り付けられるように構成することも可能である。該構成を採用するに際しては、係止孔３１や係止凹部３６等は側壁３０の内側面や底壁３５の上面に設ければよいし、逃げ段部３２についても側壁３０の内側面に形成すればよい。
【符号の説明】
【００２９】
１・・パチンコ機、２・・遊技盤、２ａ・・遊技領域、３・・機枠、４・・前扉、５・・ミドル枠、１３・・発射通路、２３・・外レール、２４・・内レール、２５・・防犯部材、２６・・第１係止片（係止部）、２７・・第２係止片（係止部）、２７ａ・・掛止凸部、２７ｂ・・係止突起、２８・・切り込み、２９・・連結部、３０・・側壁、３１・・係止孔（被係止部）、３２・・逃げ段部（逃げ部）、３３・位置決め孔、３５・・底壁、３６・・係止凹部（被係止部）、３７・・位置決め突起。
【図１】
0005435356.tif 000002
【図２】
0005435356.tif 000003
【図３】
0005435356.tif 000004
【図４】
0005435356.tif 000005
【図５】
0005435356.tif 000006
【図６】
0005435356.tif 000007
【図７】
0005435356.tif 000008
【図８】
0005435356.tif 000009
【図９】
0005435356.tif 000010
【図１０】
0005435356.tif 000011
【図１１】
0005435356.tif 000012